(57)【特許請求の範囲】
【請求項１】
認証用の手書きサインを入力する入力手段と、
照合用のサインを記憶するサイン記憶手段と、
前記認証用の手書きサイン及び前記照合用のサインを照合する照合手段と、
前記認証用の手書きサインが前記照合用のサインと一致した場合に前記認証用の手書きサインと画像データとを合成する合成手段と、
前記合成手段による合成データに基づき記録媒体に合成画像を形成する画像形成手段とを具備することを特徴とする画像形成装置。
【請求項２】
前記認証用の手書きサインの形成条件を設定する条件設定手段を更に有し、
前記合成手段は、前記形成条件に基づいて前記認証用の手書きサインと前記画像データとを合成することを特徴とする請求項１記載の画像形成装置。
【請求項３】
前記合成手段は、前記認証用の手書きサインを背景画像として前記画像データと合成することを特徴とする請求項１記載の画像形成装置。
【請求項４】
前記合成データの縮小画像データを保存するファイル手段を更に有することを特徴とする請求項１記載の画像形成装置。
【請求項５】
前記認証用の手書きサインが前記照合用のサインと一致しない場合に照合の不成立を示す表示手段を更に有することを特徴とする請求項１記載の画像形成装置。
【請求項６】
サインされた原稿画像を読み取る読取手段と、
照合用のサインを記憶するサイン記憶手段と、
認証用の手書きサインを入力する入力手段と、
前記入力手段から入力された前記認証用の手書きサイン及び前記照合用のサインを照合する照合手段と、
前記認証用の手書きサインが前記照合用のサインと一致した場合に、前記読取手段で読み取った前記サインされた原稿画像から抽出した原稿画像上のサインと前記認証用の手書きサインが一致したら前記読取手段で読取った前記サインされた原稿画像の画像形成を行う画像形成手段とを具備することを特徴とする画像形成装置。
【請求項７】
前記原稿画像上のサインと前記認証用の手書きサインが一致しない場合に照合の不成立を示す表示手段を更に有し、前記画像形成手段は前記読取手段で読取った前記サインされた原稿画像の画像形成動作を中止することを特徴とする請求項６記載の画像形成装置。
【請求項８】
前記原稿画像から前記原稿画像上のサインを抽出するための領域を指定する領域入力手段を更に有することを特徴とする請求項６記載の画像形成装置。
【請求項９】
認証用の手書きサインを入力する工程と、
前記認証用の手書きサインを照合用のサインと照合する工程と、
前記認証用の手書きサインが前記照合用のサインと一致した場合に前記認証用の手書きサインと画像データの合成データを形成する工程と、
前記合成データに基づき合成画像を形成する工程とを具備することを特徴とする画像形成方法。
【請求項１０】
サインされた原稿画像を読み取る読み取り工程と、
認証用の手書きサインの入力を受け付ける工程と、
前記認証用の手書きサインを照合用のサインと照合する工程と、
前記認証用の手書きサインが前記照合用のサインと一致した場合であって、前記読み取り工程で読み取った前記サインされた原稿画像から抽出した原稿画像上のサインと前記認証用の手書きサインが一致したら、前記読み取り工程で読取った前記サインされた原稿画像の画像形成を行う工程とを具備することを特徴とする画像形成方法。
【請求項１１】
前記原稿画像上のサインと前記認証用の手書きサインが一致しない場合に、照合の不成立を表示し、前記読み取り工程で読取った前記サインされた原稿画像の画像形成動作を中止する工程を更に有することを特徴とする請求項１０記載の画像形成方法。
【請求項１２】
前記原稿画像上のサインと前記認証用の手書きサインを照合するため、前記原稿画像から前記原稿画像上のサインを抽出するための領域を指定する工程を更に有することを特徴とする請求項１０記載の画像形成方法。
【発明の詳細な説明】
【０００１】
【発明の属する技術分野】
本発明は、ディジタル複写機やプリンタ等において装置の使用を管理し、画像情報の秘匿を高める機能を考慮した画像形成装置及び画像形成方法に関する。
【０００２】
【従来の技術】
ディジタル複写機等画像形成装置にあっては、従来紙上に形成された画像情報の秘匿性を保護する機構を特に有してはおらず、唯一複写を制限する手法として、コピーカードを保有する特定ユーザーのみに画像形成装置の使用を許可するという機構が採用されている。
【０００３】
【発明が解決しようとする課題】
しかしながら上記コピーカードによる画像形成装置の使用制限は、使用可能ユーザーを制限することで画像情報の秘匿向上には繋がるものの、紙上に画像形成された情報の秘匿性を直接的に保護するというものでは無い。そして一旦、紙上に画像形成されてしまった情報は、従来技術では際限なく複製される可能性があり、画像情報の秘匿性を保護出来ないという問題を有している。
【０００４】
しかも近年、パーソナルコンピュータ、プリンタ、スキャナ、デジタル複写機等の情報家電機器が発達・普及するにつれ、紙上に画像形成された情報の複写はいとも簡単に行われるようになった。そのため、紙上の形成された情報はその秘匿性がより一層低下してしまうという状況が発生している。具体的には、紙上に画像形成された情報が容易に複写されることで、本来意図しない第三者による情報の再配布が起こったりする。
【０００５】
また、一般に電子情報の秘匿のためにパスワードによるユーザー識別が用いられてきた。しかし情報家電機器の普及に伴い様々な装置でパスワードの入力が必要とされてきている。そして本来、各情報家電機器毎に夫々異なるパスワードを設定することが情報の秘匿性の見地から望ましいにもかかわらず、ユーザーがパスワードを失念してしまったり、すべての情報家電機器に同一のパスワードを設定する場合が多く存在し、電子情報全体のセキュリティそのものを低下させてしまっている。
【０００６】
そこで本発明は上記課題を除去するもので、ユーザーを認識して画像情報の必要以上の複写を制限することにより、画像情報の秘匿性の向上を図ることを目的とする。
【０００７】
【課題を解決するための手段】
本発明は上記課題を解決するための手段として、認証用の手書きサインを入力する入力手段と、照合用のサインを記憶するサイン記憶手段と、前記認証用の手書きサイン及び前記照合用のサインを照合する照合手段と、前記認証用の手書きサインが前記照合用のサインと一致した場合に前記認証用の手書きサインと画像データとを合成する合成手段と、前記合成手段による合成データに基づき記録媒体に合成画像を形成する画像形成手段とを具備するものである。
【００１９】
【発明の実施の形態】
以下本発明を図１乃至図１９に示す実施の形態を参照して説明する。図1は画像形成装置であり、スキャナ、プリンタ、ファックス、ネットワーク機能を有するディジタル複写機１の全体構成を概略的に示すものである。このディジタル複写機１は、画像形成手段として、原稿画像を読取る読取手段であるスキャナ部２及び現像画像を形成するプリンタ部３を備え、上部に自動原稿送り装置（ＡＤＦ）４を装着している。
【００２０】
自動原稿送り装置（ＡＤＦ）４は、筐体としてのカバー本体２１の後端縁部がディジタル複写機１本体の上面後端縁部に、図示しないヒンジ装置を介して開閉自在に取り付けられており、必要に応じて自動原稿送り装置（ＡＤＦ）４全体を開閉させてディジタル複写機１本体上面の原稿台５上を開放し得る構成となっている。カバー本体２１の上面のやや右方向部位には複数枚の原稿を一括保持し得る原稿給紙台２２が設けられている。
【００２１】
２３は原稿給紙台２２上の原稿を順次一枚ずつ取り出し、原稿台５に供給する給送手段である。給送手段２３は、原稿を取り出すためのピックアップローラ２７、原稿をピックアップローラ２７に押し付けるウェイト板２８、原稿給紙台２２への原稿のセット状態を感知する原稿感知センサとしてのエンプティセンサ２９等が配置されている。更に給送手段２３のピックアップローラ２７の原稿取り出し方向には、給紙ローラ３２が配置され原稿を確実に一枚ずつ給送するようになっている。
【００２２】
３７は、一対のベルトローラ４０ａ、４０ｂ間に掛け渡された外表面が白色の幅広無端ベルトからなり、原稿台5の上面にて張設される原稿搬送ベルトであり、ベルト駆動機構(図示しない)によって正逆方向に走行し得るようになっている。また、原稿搬送ベルト３７の内周部の裏面側にはベルト面を原稿台５に押さえつけるための複数のベルト押えローラ４１および自動原稿送り装置の開閉状態を検知するセットスイッチ(図示せず)が設けられている。そして原稿搬送ベルト３７は、給送手段２３によって給送された原稿を原稿台５の読取り位置に一旦停止し、原稿読取り終了後、原稿を排紙手段３８方向に搬送するようになっている。
【００２３】
排紙手段３８は、搬送ローラ４４とこの搬送ローラ４４に原稿を押し付けるピンチローラ４５と排紙方向に送られる原稿の後端を検出する排紙センサ４６等からなり、更に原稿排出路の下流には排紙ローラ４８が設けられている。また、原稿排出路には原稿を裏表反転して原稿台５に導くためのゲート８２が設けられ、原稿を両面複写可能としている。
【００２４】
スキャナ部２は光源としての照明ランプ６、ミラー１５を設置した第一キャリッジ７、光路を折り曲げるミラー８ａ、８ｂを設置した第二キャリッジ９、レンズ１０、反射光を受講するＣＣＤセンサ１１，これらをスライド移動する駆動系(図示しない)、および画像データであるＣＣＤセンサ１１からの出力をアナログデータからディジタルデータヘ変換する後述する画像処理部１０７により構成されている。上記第一、第二キャリッジ７、９は互いにタイミングベルト(図示しない)で結ばれており、第二キャリッジ９は第一キャリッジ７の１／２の速さで同じ方向に移動するようになっている。
【００２５】
これにより、レンズ１０までの光路長が一定になるように走査できるようになっている。レンズ１０は焦点距離固定で変倍時に光軸方向へ移動されるようになっている。ＣＣＤセンサ１１は，原稿の1画素がＣＣＤセンサ１１の1画像に対応している。ＣＣＤセンサ１１の出力は画像処理部１０７へ出力されるようになっている。第一、第二キャリッジ７、９の移動はステッピングモータ(図示しない)により行われるようになっている。第一、第二キャリッジ７、９はステッピングモータの回転軸に連結された図示しないドライブプーリとアイドルプーリの間に掛け渡されたタイミングベルトの動作に応じて移動するようになっている。
【００２６】
レンズ１０は対応するスッテピングモータ(図示しない)によりスパイラルシャフト(図示しない)が回転し、このスパイラルの動きによって光軸方向へ移動するようになっている。６０はレーザーダイオードでこのレーザーダイオード６０に対応してコリメートレンズ６２、ポリンゴンミラー６４、レンズ６６、反射鏡６８、７０、レンズ７２が配置され、露光装置５２からレーザー光を感光体ドラム５０に照射するようになっている。
【００２７】
プリンタ部３は、レーザー光学系と転写紙に画像形成可能な電子写真方式を組み合わせている。即ちプリンタ部３はディジタル複写機１本体内のほぼ中央部に回転自在に軸支された感光体ドラム５０を有し、この感光体ドラム５０の周囲には露光装置５２、現像装置５４、転写チャージャ５５、剥離チャージャ５６、クリーニング装置５７、除電ランプ５８および帯電チャージャ５９が順に配置されている。
【００２８】
感光体ドラム５０は帯電チャージャ５９によって一様に帯電されるようになっているとともに、スキャナ部２からレーザー光を出力して感光体ドラム５０上に画像データに基づく画像を形成するようになっている。感光体ドラム５０上に形成された静電潜像は現像装置５４により現像され、給紙カセット３０ａ、大容量カセット３０ｂ、給紙ユニット３０ｃから給紙ローラ２０ａ、２０ｂ、２０ｃ、アライニングローラ２５を介して送紙されるシート紙上に転写チャージャ５５により転写される。
【００２９】
この後シート紙は剥離チャージャ５６により剥離されて、搬送ベルトを介して定着器７１に搬送され、定着後排紙ローラ対７３により排紙ユニット７４の排紙トレイ７４ａに排出される。排紙ユニット７４は排紙ローラ対７３から排紙されるシート紙をフェイスダウンするローラ対７４ｂを有し、さらに排紙ユニット７４の上部にステープルソートモードの際に1部毎ににステープルするステープラ７４ｃを有している。
【００３０】
一方シート紙を剥離後の感光体ドラム５０上に残留した現像剤はクリーニング装置５７により清掃され、除電チャージャ５８により除電されて次のコピー操作を待機する。尚、両面コピーの場合には片面の定着終了後、ゲート７３ａにより自動両面装置（ＡＤＤ）７５の搬送路７５ａ側に振り分けられ、トレイ７５ｂに集積される。このトレイ７５ｂに集積された片面コピー済みのシート紙は、裏面コピー開始により再搬送路７５ｃを経て感光体ドラム５０上のトナー像に同期して転写チャージャ５５に搬送され、前述の表面のコピー操作と同様にして裏面に画像形成操作が成される。７５ｂはトレイ７５ｂ上の用紙の有無を検知する紙センサである。
【００３１】
尚給紙ユニット３０ｃは、カセットケース３１ａ〜３１ｃを有しピックアップローラ８１ａ〜８１ｃにて取り出されたシート紙を分離搬送ローラ８５ａ〜８５ｃにて分離後給紙ローラ２０ｃ側に搬送するようになっている。
【００３２】
ディジタル複写機１本体上面にはコントロールパネル１０３が設けられ、このコントロールパネル１０３には、コピー倍率や、コピー枚数等の表示あるいは各種メッセージ等の表示を行う表示手段であると共に、入力手段及び領域入力手段であり、ユーザーにより入力される認証用の手書きサインを含む情報を入力可能な手書きサイン入力装置１０３ｉと液晶表示装置１０３ｕの二重構造とされるタッチパネルスイッチ１０３ａ、スタートキー１０３ｂ、オールクリアキー１０３ｔ、テンキー１０３ｃ、用紙・倍率設定キー１０３ｄ、更にはコピー／ファクス／プリンタ等の操作モードを指定するモードキー１０３ｅ等が設けられている。モードキー１０３ｅは、手書きサインを照合させる照合キー１０３ｆ、手書きサインを登録させる登録キー１０３ｇ、手書きサインを入力させるサイン入力キー１０３ｈ、手書きサインを原稿画像と合成させるサイン合成キー１０３ｐ、配布背景を原稿画像と合成させる背景合成キー１０３ｑ、原稿画像上のサインと手書きサインを照合させる原稿照合キー１０３ｒ等を有している。
【００３３】
次にディジタル複写機１のスキャナ部２、プリンタ部３、ファクシミリ送受信部１１１の制御系について詳述する。図３はディジタル複写機１全体のシステム構成を示すものである。ディジタル複写機１は、制御バスＢ１により、ディジタル複写機１全体を制御する本体ＣＰＵ１００、コントロールパネル１０３、メカ部制御ＣＰＵ１０６、スキャナ部２、画像処理部１０７、プリンタ部３、バスコントローラ１０８、ＲＯＭ１０１、ＲＡＭ１０２、シリアルバス１２１に接続されるＩＥＥＥ１３９４インターフェイス１２０に接続されている。ＲＯＭ１０１には原稿画像と合成可能な標準背景１０１ａが記憶され、ＲＡＭ１０２には登録ユーザーの照合用の手書きサインが記憶される記憶手段であるユーザーテーブル１０２ａ、ユーザーが行った画像形成の原稿内容、コピー何枚、サイズ等を記憶するファイル手段であるユーザーログファイル１０２ｃが設けられ更に、原稿画像と合成可能なユーザー専用背景１０２ｂが記憶されている。
【００３４】
更にバスコントローラ１０８は、制御バスＢ２により、ハードディスクドライブ１０１、ファクシミリ送受信部１１１、ぺ一ジメモリ１１２、ネットワーク１３１に接続されるネットワークインターフェイス１３０と接続されている。また画像処理部１０７、プリンタ部３、ファクシミリ送受信部１１１、ぺ一ジメモリ１１２は、画像バスＢ３を介して画像データの受け渡しを行うようになっている。さらに、制御バスＢ２でも画像データをハードディスク１１０、ぺ一ジメモリ１１２、ファクシミリ送受信部１１１、ネットワークインターフェイス１３０で受け渡しできるようになっている。尚、ぺ一ジメモリ１１２は、回転、圧縮伸張、解像度変換を行った画像データを記憶するように成っている。又、スキャナ部２、プリンタ部３、ファクシミリ送受信部１１１は個々に独立で動作することができるようになっている。
【００３５】
次に、図４を参照して、スキャナ部２および照合手段、条件設定手段及び合成手段である画像処理部１０７の詳細な構成について説明する。スキャナ部２のスキャナＣＰＵ２ａには、照明ランプ２ｂを制御するランプ制御部２ｃ、走査モータ２ｄを制御するモータドライバ２ｅ、センサ、スイッチ、ソレノイド等２ｆを駆動制御する駆動部４ｇに接続して、これらを制御している。
【００３６】
次に、図５を参照して、画像処理部１０７の構成について説明する。ＣＣＤセンサ１１、手書きサイン入力装置１０３ｉ、標準背景１０１ａ、ユーザー専用背景１０２ｂからの各データを合成あるいは分離するデータ処理機構１０７ｇから出力されるデータについて画像処理するためのＡ／Ｄ変換回路１０７ａ、解像度変換回路１０７ｂ、シェーディング補正回路１０７ｃ、画質改善回路１０７ｄ、２値化回路１０７ｅに接続してこれらを制御する。そしてＣＣＤセンサ１１で読みとられた画像データは画像処理部１０７の２値化回路１０７ｅから、画像バスＢ３を介してぺ一ジメモリ１１２に送られ、ここに記憶されるようになっている。
【００３７】
次に図６を参照して、プリンタ部３の構成について説明する。プリンタ部３のプリンタＣＰＵ３ａは、メインモータ３ｂを駆動するメインモータドライバ３ｃ、センサ、スイッチ、ソレノイド等３ｄを駆動制御する駆動部３ｅ、定着ランプ３ｆを制御する定着ランプ制御部３ｇ、夫々の高圧トランス３ｌを介して帯電チャージャ３ｈ、転写チャージャ３ｉ、剥離チャージャ３ｊ、ＰＰＣチャージャ３ｋを制御する高圧出力制御部３ｍ、除電ランプ３ｎを制御する除電ランプ制御部３ｏ、給紙ローラ３ｐ、ピックアップローラ３ｑ用の給紙モータ３ｒを制御する給紙制御部３ｓ、レーザダイオード３ｔ、ポリゴンモータ３ｕ用のレーザ駆動回路３ｖを駆動する変調回路３ｗに接続して、これらを制御する。このような構成のプリンタ部３により、ぺ一ジメモリ１１２から画像バスＢ３を介して送られてきた画像データは，プリンタＣＰＵ３ａによる制御のもと所定の用紙にコピーされるようになっている。
【００３８】
次に、図７を参照して、ファクシミリ送受信部１１１の詳細な構成について説明する。ファクシミリ送受信部１１１のファクシミリＣＰＵ１１１ａは、制御バスインタフェイス、画像パズインタフェイス部からなるインタフェイス制御回路１１１ｂ、制御プログラムが格納されているメモリＥＰＲＯＭ１１１ｃ、画像データを格納するメモリ基本ＳＲＡＭ１１１ｄ、入出力の際に画像データを圧縮、伸長するＣＯＤＥＣ（入出力用）１１１ｅ、画像データを送受信する際の圧縮、伸長のためのＣＯＤＥＣ（送受信用）１１１ｆ、通信回線に接続されて例えば、公衆回線網を制御するＮＣＵ１１１ｇを介してデータの送受信を行うための変調、復調を行うモデム（１４．４ｋｂｐｓ）１１１ｈに接続して、これらを制御する。
【００３９】
このような構成のファクシミリ送受信部１１１では、ぺ一ジメモリ１２、画像バスＢ３を介して送られてきた画像データに対し、圧縮等の処理を行って、通信回線に出力するとともに、通信回線を介して受信した画像データに伸長等の処理を施し、画像バスＢ３を介してぺ一ジメモリ１２に送信し、ここに一時記憶されるようになっている。
【００４０】
次に図８を参照してぺ一ジメモリ１１２の構成について説明する。ぺ一ジメモリ１１２には回転処理用にＳＲＡＭ１１２ｂ、画像処理、画像データ蓄積用に多数のＤＲＡＭ１１２ｃ、画像圧縮・伸長用ＬＳＩにＣＯＤＥＣ１１２ｄが搭載され、これらはすべてぺ一ジメモリコントローラ１１２ａに接続されていて、ぺ一ジメモリコントローラ１１２ａに制御される。また、ぺ一ジメモリコントローラ１１２ａは制御バスＢ２、画像バスＢ３の両方に接続されていて、制御バスＢ２と画像バスＢ３を介したぺ一ジメモリ１１２ヘのアクセスの調停作業も行う。
【００４１】
ぺ一ジメモリ１１２上の画像データに対する圧縮、伸長、回転、合成といった画像処理は、本体ＣＰＵ１００がバスコントローラ１０８，制御バスＢ２を介してぺ一ジメモリコントローラ１１２ａを制御することによって達成する。また、ぺ一ジメモリ１１２上の画像データヘのアクセスは制御バスＢ２、画像バスＢ３のどちらからも可能でアクセスの調停作業はべ一ジメモリコントローラ１１２ａが行う。
【００４２】
次に図９を用いてコントロールパネル１０３の構成について説明する。コントロールパネル１０３には手書きサイン入力装置１０３ｉ・液晶表示装置１０３ｕを兼用するタッチパネルスイッチ１０３ａ、スタートキー１０３ｂ・テンキー１０３ｃ・用紙・倍率設定キー１０３ｄ・モードキー１０３ｅ、照合キー１０３ｆ、登録キー１０３ｇ、サイン入力キー１０３ｈ等キースイッチ１０３ｓ、制御バスＢ１に接続される外部インターフェース回路１０３ｊ、ＲＡＭ１０３ｋ、ＲＯＭ１０３ｍがバスｘを介してコントロールパネルＣＰＵｘ１０３ｎに接続されている。
【００４３】
ＲＯＭ１０３ｍにはコントロールパネル１０３上の機器を制御するプログラムが入っていて、ＲＡＭ１０３ｋはそのプログラムの動作領域である。タッチパネルスイッチ１０３ａはソフトウェアキーの役割を行いユーザーとのインターフェースを取り持つ機能を果たす。更にタッチパネルスイッチ１０３ａは手書きサイン入力装置１０３ｉと液晶表示装置１０３ｕとの二重構造とされ、ＲＯＭ１０３ｍに存在する制御プログラムに従ってユーザーに対する指示や警告等の表示を行う。
【００４４】
外部インターフェース回路１０３ｊは本体ＣＰＵ１００と、このコントロールパネル１０３が通信を行う回路である。この外部インターフェース回路１０３ｊを通じて本体ＣＰＵ１００とコントロールパネル１０３は所定の手順に従ってコマンド、ステータス、手書きサイン情報を含むデータのやり取りを行う。
【００４５】
タッチパネルスイッチ１０３ａの手書きサイン入力装置１０３ｉは入力した手書きサインを電子情報に変換する。この時、手書きサイン入力装置１０３ｉはユーザーのサインの書き順、筆圧といった情報等をセンサーから得て、得られたすべての情報を電子化してコントロールパネルＣＰＵｘ１０３ｎに伝えることが可能である。
【００４６】
次に作用について述べる。先ずこのディジタル複写機１にて画像形成を行う場合を図１０及び図１１のフローチャートを参照して説明する。コピー開始時、ステップ２００でユーザーは先ずコントロールパネル１０３上のサイン入力キー１０３ｈを押下する。この時点でコントロールパネル１０３の手書きサイン入力装置１０３ｉは入力待ちとなる。
【００４７】
次にステップ２０１でユーザーはタッチパネルスイッチ１０３ａから手書きサインを入力する。次いでステップ２０２に進み照合キー１０３ｆを押下する。これによりステップ２０３にてコントロールパネルＣＰＵｘ１０３ｎは手書きサイン入力装置１０３ｉからそのユーザーの手書きサインに関する電子情報を得る。次いでステップ２０４にてコントロールパネルＣＰＵｘ１０３ｎは所定の手順に基づいて本体ＣＰＵ１００と交信し、この手書きサインに関する電子情報を本体ＣＰＵ１００へ外部インターフェース回路１０３ｊを介して通信する。
【００４８】
次いでステップ２０６にて本体ＣＰＵ１００はコントロールパネルＣＰＵｘ１０３ｎから受け取った手書きサインに関する電子情報を、ユーザーテーブル１０２ａに記憶される登録ユーザーの手書きサイン情報と照合し、ステップ２０７にて、照合したか否かを比較する。照合した場合はステップ２０８に進み、本体ＣＰＵ１００は所定の手順でコントロールパネルＣＰＵｘ１０３ｎと交信し、その旨を伝えコントロールパネルＣＰＵｘ１０３ｎはそのタッチパネルスイッチ１０３ａに照合が完了し、コピー可能である旨のメッセージを表示する。ステップ２０７で照合しなかった場合は、ステップ２１０に進み、本体ＣＰＵ１００は所定の手順でコントロールパネルＣＰＵｘ１０３ｎと交信し、その旨を伝えコントロールパネルＣＰＵｘ１０３ｎはそのタッチパネルスイッチ１０３ａに照合が不成立である旨のメッセージを表示し、再度、手書きサインの入力を促すメッセージを表示する。
【００４９】
ユーザーの照合が成立した時点で、ステップ２１１に進み、ＣＰＵ１００はユーザーログファイル１０２ｃをハードディスク１１０に生成し、ディジタル複写機１はそのサインしたユーザーに対して使用許可となり、画像形成操作が可能となる。ユーザーログファイル１０２ｃは、どのユーザーがディジタル複写機１を使用したかを管理することができるもので、そのユーザーログファイル１０２ｃの内容は、ディジタル複写機１を使用したユーザーの名前、使用を開始した日時、使用時間、複写に使用した紙サイズと枚数、情報量を落とした画像データ等の管理情報から成る。
【００５０】
次にステップ２１２に進みユーザーの照合が成立して３０秒間何の入力もないと、ステップ２２３に進みユーザーログファイル１０２ｃをクローズし、ステップ２２４にて、ディジタル複写機１は初期状態、つまり、ユーザーの照合待ち状態に自動的に戻る。この場合、ディジタル複写機１を再使用するには、再度、手書きサインの入力を行いユーザーの照合が必要となる。
【００５１】
ステップ２１２で３０秒を経過するまでにステップ２１３にてサイン合成キー１０３ｐが押下されると、サイン入り複写画像を形成するため図１２に示すステップ２３０に進む。あるいはステップ２１２で３０秒を経過するまでにステップ２１４にて背景合成キー１０３ｑが押下されると、背景を合成した複写画像を形成するため図１４に示すステップ２５０に進む。
【００５２】
又、サインや背景を合成しないコピーを行うため、ステップ２１２で３０秒を経過するまでにユーザーが、ステップ２１６にて必要なコピー条件等を入力し、ＡＤＦ４あるいは原稿台５に原稿をセットした後、ステップ２１７にてスタートキー１０３ｂを押下すると、ステップ２１８に進む。ステップ２１８ではコピー操作が開始され、スキャナ部２から読み込んだ原稿画像が画像データとして画像バスＢ３を介してぺ一ジメモリ１１２上に転送される。ぺ一ジメモリコントローラ１１２ａはＣＯＤＥＣ１１２ｄを制御してこの画像データを圧縮する。そして、この圧縮された画像データはハードディスク１１０に蓄積される。
【００５３】
コピーはこのハードディスク１１０の圧縮された画像データをぺ一ジメモリ１１２ヘ再び読み出し、ぺ一ジメモリコントローラ１１２ａがＣＯＤＥＣ１１２ｄを制御して解凍する。解凍された画像データは画像バスＢ３を介してプリンタ部３へ送られ、感光体ドラム５０上に形成される静電潜像を現像後シート紙に転写し、シート紙上のトナー像を定着する通常の電子写真工程を経て必要コピーを得る事となる。必要コピーが複数部の場合、この解凍された画像データを必要部数分だけ繰り返しプリンタ部３へ出力する。また、電子ソートが指定されてる場合、ぺ一ジ順でハードディスク１１０から圧縮された画像を読み出し、ぺ一ジメモリ１１２で解凍し、プリンタ部３ヘ送るという動作を指定部数分だけ繰り返す。
【００５４】
これと同時に、ステップ２１８にあっては、スキャナ部２から読み込み圧縮された画像データをハードディスク１１０に蓄積すると同時に、その情報量を落とし画像サイズを十分の1程度にした縮小画像データをぺ一ジメモリ上に生成し、ステップ２１１にて生成したユーザーログファイル１０２ｃに追加する。
【００５５】
この様にコピー操作を終了したら、複写枚数等の最終的に決定する情報をユーザーログファイル１０２ｃに追加する。この後、ステップ２２０にてオールクリアキー１０３ｔが押下された場合ステップ２２１に進みユーザーログファイル１０２ｃをクローズし、ディジタル複写機１の使用許可を終了する。また、オールクリアキー１０３ｔが押下されなくても、コピー操作終了後、ステップ２２２にて３０秒間何の入力もない場合も、ステップ２２１に進みユーザーログファイル１０２ｃをクローズし、ディジタル複写機１の使用許可を終了する。
【００５６】
これにより、ユーザーは手書きサインが、登録ユーザーの手書きサイン情報と照合しなければディジタル複写機１を使用出来ないので、ディジタル複写機１の不正使用の可能性を低減出来、画像情報の秘匿性向上を得られる。しかもディジタル複写機１にてコピーを行った場合、手書きサインによりユーザーを特定し、そのユーザーがどのような原稿を何枚、どのサイズで複写したかまでユーザーログファイル１０２ｃにファイルして管理することで画像情報の秘匿性、信頼性のさらなる向上を得られる。
【００５７】
次に、サイン入りコピーを得る操作について詳述する。ステップ２１３にてサイン合成キー１０３ｐが押下された場合、サイン入り複写画像を形成するため図１２に示すステップ２３０に進む。ステップ２３０ではサイン入りコピーモードが設定され、ステップ２３１にてサインの位置指定が成されるとステップ２３２に進み、コピー画像に入れる手書きサインの形成条件である形成位置、大きさ、色を指定しステップ２３３に進む。この時、原稿画像部分はそのままの色とする一方、手書きサイン情報部分を特定の色でコピーするように指定することも可能である。
【００５８】
一方、サインの位置指定がなされなかった場合は、ステップ２４１に進み、手書きサイン情報を初期設定に従って、所定の位置、大きさ、色で入力原稿画像に合成する様指定した後、ステップ２３３に進む。
【００５９】
ステップ２３３では、必要なコピー条件等を入力し、ＡＤＦ４あるいは原稿台５に原稿をセットした後、ステップ２３４にてスタートキー１０３ｂを押下すると、ステップ２３６に進む。ステップ２３６ではコピー操作が開始され、スキャナ部２から読み込んだ図１３（ａ）に示す原稿Ｇ１とタッチパネルスイッチ１０３ａから入力された図１３（ｂ）に示す手書きサインＳ１とをデータ処理機構１０７ｇにて合成処理した図１３（ｃ）に示すサイン合成画像Ｐ１を画像データとして画像バスＢ３を介してぺ一ジメモリ１１２上に転送する。ぺ一ジメモリコントローラ１１２ａはＣＯＤＥＣ１１２ｄを制御してこの画像データを圧縮する。そして、この圧縮された画像データはハードディスク１１０に蓄積される。
【００６０】
コピーはこのハードディスク１１０の圧縮された画像データをぺ一ジメモリ１１２ヘ再び読み出し、ぺ一ジメモリコントローラ１１２ａがＣＯＤＥＣ１１２ｄを制御して解凍する。解凍された画像データは画像バスＢ３を介してプリンタ部３へ送られ、感光体ドラム５０上に形成される静電潜像を現像後シート紙に転写し、シート紙上のトナー像を定着する通常の電子写真工程を経て必要コピーを得る事となる。必要コピーが複数部の場合、この解凍された画像データを必要部数分だけ繰り返しプリンタ部３へ出力する。また、電子ソートが指定されてる場合、ぺ一ジ順でハードディスク１１０から圧縮された画像を読み出し、ぺ一ジメモリ１１２で解凍し、プリンタ部３ヘ送るという動作を指定部数分だけ繰り返す。
【００６１】
これと同時に、ステップ２３６にあっては、圧縮されたサイン合成画像の画像データをハードディスク１１０に蓄積すると同時に、その情報量を落とし画像サイズを十分の1程度にした縮小画像データをぺ一ジメモリ上に生成し、ステップ２１１にて生成したユーザーログファイル１０２ｃに追加する。
【００６２】
この様にコピー操作を終了したら、複写枚数等の最終的に決定する情報をユーザーログファイル１０２ｃに追加する。この後、ステップ２３７にてオールクリアキー１０３ｔが押下された場合ステップ２３８に進みユーザーログファイル１０２ｃをクローズし、ディジタル複写機１の使用許可を終了する。また、オールクリアキー１０３ｔが押下されなくても、コピー操作終了後、ステップ２４０にて３０秒間何の入力もない場合も、ステップ２３８に進みユーザーログファイル１０２ｃをクローズし、ディジタル複写機１の使用許可を終了する。
【００６３】
このようにコピー時、手書きサインを原稿情報に合成して画像情報を形成すれば、誰がコピーしたものかが画像情報に付加されるため、ユーザーによる無制限のコピーにある程度歯止めをかけることができ、コピーされた画像情報の秘匿性及び、信頼性を更に向上出来る。
【００６４】
次に、配布背景を合成したコピーを得る操作について詳述する。ステップ２１４にて背景合成キー１０３ｑが押下された場合、配布背景を合成した複写画像を形成するため図１４に示すステップ２５０に進む。ステップ２５０では配布背景合成コピーモードが設定される。次いでステップ２５１にて必要なコピー条件等を入力し、さらにステップ２５２で、合成に用いる背景画像を部数毎に変更するかあるいは頁毎に変更するかの合成方法を指定する。
【００６５】
複写部数毎の配布背景合成は、複写した各々グループには共通の配布背景画像を合成することを指す。例えば１５枚の入力原稿を３部（グループ１、２、３とする)形成するとすると、１５×３枚の複写画像が出来上がる。この指定方法では配布背景画像は各グループ(クループ１、２、３)で異なるもので、同一グループの複写画像(ぺ一ジ１〜１５)に関しては同一の配布背景画像が用いられる。
【００６６】
頁毎の配布背景合成は、同一グループにて、頁毎に配布背景は異なるが、同じ頁であれば、複数部に渡り配布背景は同一とされる。前述と同様、１５枚の入力原稿を３部（グループ１、２、３とする)形成するとすると、１５×３枚の複写画像が出来上がる。この指定方法では配布背景画像は各頁(ぺ一ジ１〜１５)で異なるもので、部数（グループ）が異なっても同一ぺ一ジであれば、同じ配布背景画像が用いられる。この方法では原稿枚数分だけ配布背景画像が必要となる。
【００６７】
次いでステップ２５３にて、標準でディジタル複写機１が持つ標準背景１０１ａに記憶される標準配布背景画像と、ユーザー夫々が持つユーザー専用背景１０２ｂに記憶されるユーザー配布背景画像の一覧をタッチパネルスイッチ１０３ａに表示し、ステップ２５４に進みユーザーはタッチパネルスイッチ１０３ａ上にて合成する背景を選択し、原稿台５に原稿をセットした後、ステップ２５６にてスタートキー１０３ｂを押下してステップ２５７に進む。
【００６８】
ステップ２５７ではコピー操作が開始され、スキャナ部２から読み込んだ図１５（ａ）に示す原稿Ｇ２とタッチパネルスイッチ１０３ａにて選択された図１５（ｂ）に示す背景画像Ｓ２とをデータ処理機構１０７ｇにて合成処理した図１５（ｃ）に示す配布背景合成画像Ｐ２を画像データとして画像バスＢ３を介してぺ一ジメモリ１１２上に転送する。ぺ一ジメモリコントローラ１１２ａはＣＯＤＥＣ１１２ｄを制御してこの画像データを圧縮する。そして、この圧縮された画像データはハードディスク１１０に蓄積される。
【００６９】
コピーはこのハードディスク１１０の圧縮された画像データをぺ一ジメモリ１１２ヘ再び読み出し、ぺ一ジメモリコントローラ１１２ａがＣＯＤＥＣ１１２ｄを制御して解凍する。解凍された画像データは画像バスＢ３を介してプリンタ部３へ送られ、感光体ドラム５０上に形成される静電潜像を現像後シート紙に転写し、シート紙上のトナー像を定着する通常の電子写真工程を経て必要コピーを得る事となる。必要コピーが複数部の場合、この解凍された画像データを必要部数分だけ繰り返しプリンタ部３へ出力する。また、電子ソートが指定されてる場合、ぺ一ジ順でハードディスク１１０から圧縮された画像を読み出し、ぺ一ジメモリ１１２で解凍し、プリンタ部３ヘ送るという動作を指定部数分だけ繰り返す。
【００７０】
これと同時に、ステップ２５７にあっては、圧縮された配布背景合成画像の画像データをハードディスク１１０に蓄積すると同時に、その情報量を落とし画像サイズを十分の1程度にした縮小画像データをぺ一ジメモリ上に生成し、ステップ２１１にて生成したユーザーログファイル１０２ｃに追加する。
【００７１】
この様にコピー操作を終了したら、複写枚数等の最終的に決定する情報をユーザーログファイル１０２ｃに追加する。この後、ステップ２５８にてオールクリアキー１０３ｔが押下された場合ステップ２６０に進みユーザーログファイル１０２ｃをクローズし、ディジタル複写機１の使用許可を終了する。また、オールクリアキー１０３ｔが押下されなくても、コピー操作終了後、ステップ２６１にて３０秒間何の入力もない場合も、ステップ２６０に進みユーザーログファイル１０２ｃをクローズし、ディジタル複写機１の使用許可を終了する。
【００７２】
このようにコピー時、配布背景を原稿情報に合成して画像情報を形成すれば、部数毎あるいは頁毎に背景の画像を変更して、オリジナルの画像情報を形成出来るので、もしも配布した先から手書きサイン照合機能等を有しない従来機等により、さらに再配布するために不正に孫コピーが作成されたとしても、配布経路が探索可能となる。
【００７３】
但し不正に孫コピーを作成する際に、配布経路を隠すために背景画像を改ざんすることも可能であるが、この様に背景画像を改ざんする場合に、前述の手書きサインを合成した画像情報の手書きサイン部分を改ざんする場合に比し、改ざんが見た目に明らかになり易く、改ざんがあったことを容易に判定し易くなる
次に、ユーザーの手書きサインを新規登録する場合について図１６に示すフローチャートを用いて説明する。手書きサイン新規登録時、ステップ２７０でユーザーは登録キー１０３ｇを押下する。これによりディジタル複写機１は登録モードとなりステップ２７１にてタッチパネルスイッチ１０３ａの表示はユーザー登録画面となる。ユーザー登録画面では、氏名、所属、社員番号、生年月日、電話番号、管理パスワード等のユーザーを一意に特定できる情報をタッチパネルスイッチ１０３ａから入力するようにメッセージが表示される。
【００７４】
次にステップ２７２で新規登録のユーザーはタッチパネルスイッチ１０３ａに表示されるメッセージに従って、登録内容をタッチパネルスイッチ１０３ａから入力する。そして、最後にステップ２７３で、タッチパネルスイッチ１０３ａからタッチペン（図示せず）等を使いユーザーの手書きサインを入力し、再度登録キー１０３ｇを押下して登録終了しステップ２７４に進む。ステップ２７４では、コントロールパネルＣＰＵｘ１０３ｎにて、タッチパネルスイッチ１０３ａから入力された項目の確認を行い、ステップ２７６にて、項目が正しい場合はステップ２７７に進み、項目が不備である場合はステップ２８１に進みタッチパネルスイッチ１０３ａに不備である旨を表示し、再登録を促す。
【００７５】
ステップ２７７では、コントロールパネルＣＰＵｘ１０３ｎと本体ＣＰＵ１００とで所定の手順で通信し、ユーザーが入力した登録情報と、手書きサイン入力装置１０３ｉで電子情報に変換された手書きサイン情報とを外部インターフェース回路１０３ｊを介して、本体ＣＰＵ１００へ送信し、ステップ２７８にて本体ＣＰＵ１００は、受け取った登録情報と手書きサイン情報を基にユーザーテーブル１０２ａヘ新規ユーザーの追加を行う。ユーザーテーブル１０２ａの更新を完了すると、ステップ２８０に進み本体ＣＰＵ１００とコントロールパネルＣＰＵｘ１０３ｎは所定の手順で通信し、タッチパネルスイッチ１０３ａにユーザー登録終了のメッセージを表示し、手書きサインの新規登録を終了する。
【００７６】
手書きサインの登録を終了したユーザーは、これ以降、タッチパネルスイッチ１０３ａから入力する手書きサインと、ユーザーテーブル１０２ａとの照合によって、ユーザーを特定され、ディジタル複写機１の使用を可能とされる。即ちユーザーテーブル１０２ａに記載されないユーザーは、ディジタル複写機１を使用を拒否される。
【００７７】
この手書きサインをユーザーテーブル１０２ａに登録することにより、その後入力される手書きサインと登録サインの照合によって、手書きサインを入力したユーザーを特定し、ディジタル複写機１にその使用を監視させることが可能となる。従ってユーザーテーブルにないユーザーがディジタル複写機１を使用することはできなくなりコピーの大量配布や不正コピーを防止でき、画像情報の秘匿性向上を図れる。
【００７８】
次に、サイン入り原稿のコピーをサインした本人のみしかコピー出来ない場合について図１７に示すフローチャートを用いて説明する。例えば、図１９に示す様に、所定のサイン領域［Ａ］に手書きサイン１５０が成された原稿Ｇ３をコピーする場合、ステップ３００で原稿照合キー１０３ｒを押下する。この時点でコントロールパネル１０３の手書きサイン入力装置１０３ｉは入力待ちとなるので、ユーザーは、先ず、ユーザー照合のため、ステップ３０１に進み、タッチパネルスイッチ１０３ａから手書きサインを入力する。次いでステップ３０２に進み照合キー１０３ｆを押下する。これによりステップ３０３にてコントロールパネルＣＰＵｘ１０３ｎは手書きサイン入力装置１０３ｉからそのユーザーの手書きサインに関する電子情報を得る。次いでステップ３０４にてコントロールパネルＣＰＵｘ１０３ｎは所定の手順に基づいて本体ＣＰＵ１００と交信し、この手書きサインに関する電子情報を本体ＣＰＵ１００へ外部インターフェース回路１０３ｊを介して通信する。
【００７９】
次いでステップ３０６にて本体ＣＰＵ１００はコントロールパネルＣＰＵｘ１０３ｎから受け取った手書きサインに関する電子情報を、ユーザーテーブル１０２ａに記憶される登録ユーザーの手書きサイン情報と照合し、ステップ３０７にて、照合したか否かを比較する。照合した場合はステップ３０８に進み、本体ＣＰＵ１００は所定の手順でコントロールパネルＣＰＵｘ１０３ｎと交信し、その旨を伝えコントロールパネルＣＰＵｘ１０３ｎはそのタッチパネルスイッチ１０３ａに照合が完了し、コピー可能である旨のメッセージを表示する。ステップ３０７で照合しなかった場合は、ステップ３１０に進み、本体ＣＰＵ１００は所定の手順でコントロールパネルＣＰＵｘ１０３ｎと交信し、その旨を伝えコントロールパネルＣＰＵｘ１０３ｎはそのタッチパネルスイッチ１０３ａに照合が不成立である旨のメッセージを表示し、再度、手書きサインの入力を促すメッセージを表示する。
【００８０】
ユーザーの照合が成立した時点で、図１８に示すステップ３１１に進み、入力された手書きサインと原稿Ｇ１上の手書きサイン１５０との照合のため、原稿台５に原稿Ｇ１を載置し、スタートキー１０３ｂを押下する。これによりステップ３１２にてスキャナ部２による原稿Ｇ１の画像読取りが成される。次にステップ３１３にてタッチパネルスイッチ１０３ａからサイン領域［Ａ］を入力し、ステップ３１４で、データ処理機構１０７ｇにて原稿Ｇ１から読取った画像データを、手書きサイン部分と、活字部分とに分割し、ステップ３１６で、分割した手書きサイン部分と、ユーザーにより入力された手書きサインとを照合する。
【００８１】
ステップ３１７にて照合結果が一致した場合は、複写可能となり図１１に示すフローチャートのステップ２１１からステップ２２１を実行して複写動作を行う事となる。ステップ３１７にて照合結果が不一致の場合はステップ３１８に進みタッチパネルスイッチ１０３ａに照合が不一致のメッセージを表示し複写動作を中止し、中止操作を実施する。
【００８２】
この様に原稿画像上に記載される手書きサインと、ユーザーによる入力手書きサインとが照合しなければディジタル複写機１を使用出来ないので、ディジタル複写機１の不正使用の可能性を更に低減出来、画像情報の秘匿性向上を得られる。
【００８３】
この様に構成すれば、ユーザの手書きサイン情報をユーザーテーブル１０２ａに登録し、その後入力される手書きサインと登録サインの照合によって、手書きサインを入力したユーザーを特定し、ディジタル複写機１にその使用を監視することとなり、ユーザーが、ディジタル複写機１を使用する場合には、タッチパネルスイッチ１０３ａから手書きサインを入力し、この入力手書きサインが登録サインと照合した場合にのみ使用可能となる事から、第三者等による不必要なあるいは不正な画像形成を防止出来、画像情報の秘匿性向上を得られる。しかもユーザーが行ったコピー内容をユーザーログファイル１０２ｃに記憶して管理していることからも第三者等による不必要なあるいは不正な画像形成の抑止効果を有し画像情報の秘匿性、信頼性のさらなる向上を得られる。
【００８４】
又、タッチパネルスイッチ１０３ａから入力した手書きサイン情報あるいはディジタル複写機１内に記憶される配布背景を原稿情報に合成して画像情報を形成することにより、誰がコピーしたものか判明しあるいは配布経路の探索が可能となり、無制限のコピーや不正コピーを更に抑止出来る。更に配布背景を原稿画像に合成した画像情報は、不正コピー時等に改ざんした場合、痕跡が見た目に明らかになり易く、改ざんがあったことを容易に判定し易くなる。
【００８５】
更に、原稿画像上に手書きサインを記載して、その後入力される手書きサインと原稿画像上の手書きサインとの照合によって、ディジタル複写機１の使用を可能とすることによっても、第三者等による不必要なあるいは不正なディジタル複写機１の使用の可能性を低減出来、画像情報の更なる秘匿性向上を得られる。
【００８６】
尚本発明は実施の形態に限られるものでは無く、その趣旨を変えない範囲での変更は可能であって、例えば、原稿画像に配布背景を合成して画像形成する際の配布背景は任意であり、全てユーザーがタッチパネルスイッチ１０３ａから選択しても構わないし、あるいは第１の変形例として、タッチパネルスイッチ１０３ａから入力した手書きサインを利用して、手書きサインの繰り返しパターンを図２０（ａ）に示すように配布背景画像Ｓ４として形成し、これを原稿画像と合成た図２０（ｂ）に示す合成画像情報Ｐ４を形成する等しても良い。この様にすれば、通常の配布背景に比し画像情報の秘匿性がさらに向上する。
【００８７】
又、原稿画像に配布背景を合成する場合に、自動的に部数あるいは頁数が分かる配布背景を、画像形成装置内にオートモードで設定しておき、画像形成時、自動的に部数毎あるいは頁毎に背景が合成される様にすることも可能であり、第２の変形例として図２１（ａ）、（ｂ）、（ｃ）の３種類の配布背景画像Ｓ５〜Ｓ７を用意し、部数毎にそれぞれの配布背景画像Ｓ５〜Ｓ７を使用し、原稿画像と合成して図２２（ａ）、（ｂ）、（ｃ）に示す様にそれぞれ配布背景の異なる合成複写画像Ｐ５〜Ｐ７を３部形成する等しても良い。
【００８８】
更に配布背景の改ざんをし難くするように配布背景に濃淡を付けたり、あるいは配布背景の色を変える等しても良い。
【００８９】
【発明の効果】
以上説明したように本発明によれば、画像形成装置内の登録サインとユーザーが入力する手書きサインとを照合し、一致した場合のみ画像形成装置の使用が可能となる事から、必要なあるいは不正な画像形成を防止出来、画像情報の秘匿性向上を得られる。しかも画像形成内容を装置本体内にファイルし管理することにより、画像情報の秘匿性、信頼性のさらなる向上を得られる。
【００９０】
又原稿画像を手書きサインと合成することにより誰が画像形成を行ったか判明出来、無制限のコピーや不正コピーを更に抑止出来る。更に原稿画像を配布背景と合成することにより、配布した画像情報の流通経路の特定が可能となり必要なあるいは不正な画像形成を更に抑止出来、画像情報の秘匿性向上を図れる。更に手書きサイン入り原稿を用い、ユーザーが入力する手書きサインを原稿画像上の手書きサインと照合することによって、画像形成走査を可能とすることにより、不必要なあるいは不正な画像形成装置使用の可能性を低減出来、画像情報の更なる秘匿性向上を図れる。
【図面の簡単な説明】
【図１】本発明の実施の形態のディジタル複写機のシステム構成を示す概略構成図である。
【図２】本発明の実施の形態のディジタル複写機のコントロールパネルを示す概略平面図である。
【図３】本発明の実施の形態のディジタル複写機のシステム構成を示す概略ブロック図である。
【図４】本発明の実施の形態のスキャナ部を示す概略ブロック図である。
【図５】本発明の画像処理部を示す概略ブロック図である。
【図６】本発明の実施の形態のプリンタ部を示す概略ブロック図である。
【図７】本発明の実施の形態のファクシミリ送受信部を示す概略ブロック図である。
【図８】本発明の実施の形態の頁メモリを示す概略ブロック図である。
【図９】本発明の実施の形態のコントロールパネルを示す概略ブロック図である。
【図１０】本発明の実施の形態のディジタル複写機にて画像形成を行う場合のフローチャートの一部である。
【図１１】本発明の実施の形態のディジタル複写機にて画像形成を行う場合の図１０に示すフローチャートに続くフローチャートである。
【図１２】本発明の実施の形態のディジタル複写機にて画像形成を行う場合の図１１に示すフローチャートのＡに示す手書きサイン入りコピーを行う場合のフローチャートである。
【図１３】本発明の実施の形態の手書きサイン入りコピーを行う場合の画像を示し（ａ）はその原稿を示す概略平面図、（ｂ）はその入力手書きサインを示す概略平面図、（ｃ）はそのサイン合成画像を示す概略平面図である。
【図１４】本発明の実施の形態のディジタル複写機にて画像形成を行う場合の図１１に示すフローチャートのＢに示す配布背景合成コピーを行う場合のフローチャートである。
【図１５】本発明の実施の形態の配布背景合成コピーを行う場合の画像を示し（ａ）はその原稿を示す概略平面図、（ｂ）はその背景画像を示す概略平面図、（ｃ）はその配布背景合成画像を示す概略平面図である。
【図１６】本発明の実施の形態のディジタル複写機にユーザーの手書きサインを新規登録する場合のフローチャートである。
【図１７】本発明の実施の形態のディジタル複写機にてサイン入り原稿のサインとユーザーが入力した手書きサインを照合する場合のフローチャートの一部である。
【図１８】本発明の実施の形態のディジタル複写機にてサイン入り原稿のサインとユーザーが入力した手書きサインを照合する場合の図１７に示すフローチャートに続くフローチャートである。
【図１９】本発明の実施の形態のサイン入り原稿を示す概略平面図である。
【図２０】本発明の第１の変形例を示し（ａ）はその配布背景画像を示す概略平面図、（ｂ）はその合成画像情報を示す概略平面図である。
【図２１】本発明の第２の変形例を示し（ａ）はその配布背景画像Ｓ５を示し、（ｂ）はその配布背景画像Ｓ６を示し、（ｃ）はその配布背景画像Ｓ７を示す概略平面図である。
【図２２】本発明の第２の変形例を示し（ａ）はその合成複写画像Ｐ５を示し、（ｂ）はその合成複写画像Ｐ６を示し、（ｃ）はその合成複写画像Ｐ７を示す概略平面図である。
【符号の説明】
１…ディジタル複写機
２…スキャナ部
３…プリンタ部
４…自動原稿送り装置
５…原稿台
１００…本体ＣＰＵ
１０１…ＲＯＭ
１０１ａ…標準背景
１０２…ＲＡＭ
１０２ａ…ユーザーテーブル
１０２ｂ…ユーザー背景
１０２ｃ…ユーザーログファイル
１０３…コントロールパネル
１０３ａ…タッチパネルスイッチ
１０３ｂ…スタートキー
１０３ｅ…モードキー
１０３ｆ…照合キー
１０３ｇ…登録キー
１０３ｈ…サイン入力キー
１０３ｐ…サイン合成キー
１０３ｑ…背景合成キー
１０３ｒ…原稿照合キー
１０７…画像処理部
１０７ｇ…合成・分離機構
１０８…バスコントローラ
１１０…ハードディスク
１１１…ファクシミリ送受信部
１１２…頁メモリ
【図１】
0004231175.tif 000002
【図２】
0004231175.tif 000003
【図３】
0004231175.tif 000004
【図４】
0004231175.tif 000005
【図５】
0004231175.tif 000006
【図６】
0004231175.tif 000007
【図７】
0004231175.tif 000008
【図８】
0004231175.tif 000009
【図９】
0004231175.tif 000010
【図１０】
0004231175.tif 000011
【図１１】
0004231175.tif 000012
【図１２】
0004231175.tif 000013
【図１３】
0004231175.tif 000014
【図１４】
0004231175.tif 000015
【図１５】
0004231175.tif 000016
【図１６】
0004231175.tif 000017
【図１７】
0004231175.tif 000018
【図１８】
0004231175.tif 000019
【図１９】
0004231175.tif 000020
【図２０】
0004231175.tif 000021
【図２１】
0004231175.tif 000022
【図２２】
0004231175.tif 000023